【事件の表示】
　特願２０００−２４１７１４「液晶ディスプレイ及び画像表示装置」拒絶査定不服審判事件〔平成１４年　２月２０日出願公開、特開２００２−　５５３５２〕について、次のとおり審決する。
【結　論】
　本件審判の請求は、成り立たない。
【理　由】
１．手続の経緯
　
　本願は、平成１２年８月９日に出願したものであって、平成１６年３月１６日付で拒絶査定がされ、これに対し、同年４月２２日に拒絶査定不服審判が請求されるとともに、同年５月２４日付で手続補正がなされたものである。
　
２．平成１６年５月２４日付けの手続補正についての補正却下の決定
　
［補正却下の決定の結論］
　
　平成１６年５月２４日付けの手続補正を却下する。
　
　［理由］
　
　（１）補正後の本願発明
　
　ア．本件補正により、特許請求の範囲の請求項１は、
　「【請求項１】　ストライプ形のカラーフィルタを有し、ドット反転駆動方式で駆動されるノーマリー・ブラック型
で、かつ、液晶セル内に、基板面に対して平行な方向の電界が形成される横電界方式の
　略四角形状のガラス基板上の所定の領域に設けられた略四角形状の表示領域に所定間隔で設けられて行方向に伸びる複数本の走査線と所定間隔で設けられて列方向に伸びる複数本の信号線との各交点にそれぞれ配列されて、
同じく前記ガラス基板上に設けられた
　前記ガラス基板の上端部又は下端部のいずれか一方又は両方に所定のピッチで設けられ、前記表示領域の上辺上部又は下辺下部のいずれか一方又は両方に引き出されて複数個のブロックに分割及び集約された信号線の端部がそれぞれ接続された信号端子と、
　前記ガラス基板の左端部又は右端部のいずれか一方又は両方に所定のピッチで設けられ、前記表示領域の左辺左部又は右辺右部のいずれか一方又は両方に引き出されて複数個のブロックに分割及び集約された走査線の端部がそれぞれ接続された走査端子と、
　前記共通電極に共通電位を印加するために前記表示領域に行ごと又は列ごとに、
同じく前記ガラス基板上に
　前記表示領域の上辺上部又は下辺下部のいずれか一方又は両方に設けられるとともに、前記表示領域の左辺左部又は右辺右部のいずれか一方又は両方に設けられ、前記複数本の共通信号線の各端部が接続された共通配線と、
　バックライトから放射される光の透過率が極めて低い金属膜によりなり、前記表示領域の一辺に沿って隣接する前記ブロック間の間隙をほぼ埋めるように形成され、前記表示領域に面する一部が前記共通配線に接続された、一辺あたり複数の第１の引出部と、
　前記金属膜よりなり、前記ブロックの外側部と前記表示領域の四辺を前記ガラス基板の端部側に延長した直線とで囲まれた領域をほぼ埋めるように形成され、前記表示領域に面する一部が前記共通配線に接続された第２の引出部と、
　各ブロックの最外部を構成する信号線又は走査線の端部に接続された信号端子又は走査端子に隣接して設けられ、前記第１又は第２の引出部の前記ガラス基板の端部に形成された複数個の共通端子と
　を備えてなることを特徴とする液晶ディスプレイ。」と補正された。
　
イ．上記補正は、請求項１に記載した発明を特定するために必要な事項である「液晶セル」の内部に形成されることが自明である電界について「基板面に対して平行な方向の電界」と、その方向に関して限定を付加して「横電界方式」の液晶ディスプレイであると限定するとともに、請求項１に記載した発明を特定するために必要な事項である「共通電極」及び「共通信号線」について、走査線及び信号線と「同じく前記ガラス基板上に設けられた」ものであるとの限定を付加するものであって、特許法第１７条の２第４項第２号の特許請求の範囲の減縮を目的とするものに該当する。
　
ウ．そこで、本件補正後の前記請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
　（２）引用例
　
ア．引用例１
　
（ア）　原査定の拒絶の理由に引用された本願出願日前に頒布された刊行物である特開平１１−３２６９２８号公報（以下、「引用例１」という。）には、
「【請求項１】  液晶を介して互いに対向配置される各透明基板のうち一方の透明基板の液晶側の面の表示領域にマトリックス状に配置された各画素領域を備え、
これら各画素領域内に互いに離間されて配置された画素電極と対向電極とを備え、これら各電極との間に発生させる電界によって各電極の間に通過する光の透過率を制御させるものであって、
行方向に配置された各画素領域内の各対向電極を互いに接続させた対向電圧信号線が列方向へ並設されて形成されている液晶表示装置において、
前記対向電圧信号線のそれぞれを接続させる共通バスラインが前記表示領域内に列方向へ延在させて形成されていることを特徴とする液晶表示装置。
【請求項２】  表示領域内に列方向へ延在されて形成される共通バスラインは複数形成されていることを特徴とする請求項１記載の液晶表示装置。」、
「【０００１】
【発明の属する技術分野】本発明は液晶表示装置に係り、いわゆる横電界方式と称される液晶表示装置に関する。
【０００２】
【従来の技術】横電界方式と称される液晶表示装置は、液晶を介して互いに対向配置される各透明基板のうち一方の透明基板の液晶側の面の各画素領域内のそれぞれに互いに離間されて配置された画素電極と対向電極とが備えられ、これら各電極との間に発生される電界によって各電極の間に通過する光の透過率を制御させる構成となっている。
【０００３】このような構成からなる液晶表示装置は、その表示面に対して大きな角度視野から観察しても鮮明な映像を認識でき、いわゆる角度視野に優れたものとして知られるに到っている。
【０００４】そして、各画素領域の画素電極には、対向電極に印加される基準信号に対して、制御させようとする光の透過率に対応した映像信号が供給されるように構成されていることから、各画素領域のそれぞれの対向電極には信号線を介して同じ信号が供給されるようになっている。
【０００５】具体的には、表示領域に、マトリック状に配置された各画素領域があり、その行方向に配置された各画素領域内の各対向電極を互いに接続させた対向電圧信号線が列方向へ並設されて形成され、さらに、表示領域外の各対向電圧信号線の一端側において、これら対向電圧信号線をそれぞれ接続させる共通バスラインが形成されている。
【０００６】すなわち、基準信号は該共通バスラインおよび各対向電圧信号線を介して、各画素領域内の対向電極に供給されるようになっている。
【０００７】なお、このような構成は、たとえば特開平６−１６０８７８号公報等に詳述されている。
【０００８】この場合、このように共通バスラインおよび各対向電圧信号線を介して対向電極に基準信号を供給すると、他の電極への信号の供給に比較して、極めて信号波形の歪みが著しいことが指摘されている。
【０００９】対向電極に接続される信号線は、他の電極に接続される信号線よりも長く形成しなければならないとともに、液晶を誘電体とする容量が結合されてしまうからである。
【００１０】このため、たとえば、表示領域外の各対向電圧信号線の他の一端側においても、これら対向電圧信号線をそれぞれ接続させる共通バスラインを形成し、他の共通バスラインとともに基準電圧を供給するもの等が知られるに到っている。
【００１１】
【発明が解決しようとする課題】しかし、対向電圧信号線のそれぞれの各端側において、それぞれ共通バスラインを形成する場合、その分だけスペースを確保しなければならなくなり、いわゆる額縁の縮小化が図れないという不都合が生じるに到った。
【００１２】ここで、額縁とは表示面（表示パネルの）においてその外枠と表示領域との間の部分をいい、額縁の縮小化は、外枠を一定とした場合に各画素領域の開口率を大きくでき、また、各画素領域の開口率を一定とした場合に表示パネルの小型化が図れるようになる。
【００１３】本発明はこのような事情に基づいてなされたものであり、その目的は、額縁の増大を憂えることなく、対向電極へ供給される基準信号の波形歪みを抑制できる液晶表示装置を提供することにある。
【００１４】
【課題を解決するための手段】本願において開示される発明のうち、代表的なものの概要を簡単に説明すれば、以下のとおりである。すなわち、液晶を介して互いに対向配置される各透明基板のうち一方の透明基板の液晶側の面の表示領域にマトリックス状に配置された各画素領域を備え、これら各画素領域内に互いに離間されて配置された画素電極と対向電極とを備え、これら各電極との間に発生させる電界によって各電極の間に通過する光の透過率を制御させるものであって、行方向に配置された各画素領域内の各対向電極を互いに接続させた対向電圧信号線が列方向へ並設されて形成されている液晶表示装置において、前記対向電圧信号線のそれぞれを接続させる共通バスラインが前記表示領域内に列方向へ延在させて形成されていることを特徴とするものである。
【００１５】このように構成された液晶表示装置は、基準信号が共通バスラインから対向電極に供給される際に介在される対向電圧信号線は、実質的に短くなりその抵抗を低減できることから、該基準信号の歪みを低減させることができるようになる。
【００１６】そして、対向電圧信号線の両端に（表示領域外）それらを共通接続させる共通バスラインを設ける必要がないことから、額縁の縮小化を図ることができるようになる。
【００１７】また、たとえ、対向電圧信号線の両端（あるいはその一方）にそれらを共通接続させる共通バスラインを設けるようなことがあっても、基準信号の波形歪みを低減できることから、該共通バスラインはその線幅を小さくできるようになる。したがって、額縁の縮小化を図ることができるようになる。
【００１８】
【発明の実施の形態】以下、図面を用いて本発明による液晶表示装置の実施例を説明する。
実施例１．
【００１９】同図において、透明基板ＳＵＢ１があり、この透明基板ＳＵＢ１には、そのｘ（行）方向に延在されｙ（列）方向に並設されている対向電圧信号線ＣＬと走査信号線ＧＬとが形成されている。
【００２０】この図では、たとえば、図中上から対向電圧信号線ＣＬ、この対向電圧信号線ＣＬに比較的距離を大きくして離間された走査信号線ＧＬ、この走査信号線ＧＬに距離を小さくして離間された対向電圧信号線ＣＬ、この対向電圧信号線ＣＬに比較的距離を大きくして離間された走査信号線ＧＬ、……という順序に形成されている。
【００２１】そして、これら対向電圧信号線ＣＬおよび走査信号線ＧＬと絶縁されて、ｙ方向に延在されｘ方向に並設された映像信号線ＤＬが形成されている。
【００２２】この場合、この実施例では、後述する表示領域のたとえばほぼ真中にｙ方向に延在する共通バスラインＣＣ３が映像信号線ＤＬとともに形成されている。
【００２３】すなわち、図中左から右にかけて、…映像信号線ＤＬ、映像信号線ＤＬ、共通バスラインＣＣ３、映像信号線ＤＬ、映像信号線ＤＬ…というようにこれら信号線が配置されている。
【００２４】そして、この共通バスラインＣＣ３はこれと交差して配置される前記各対向電圧信号線ＣＬとその交差部において互いに接続が図れている。
【００２５】そして、対向電圧信号線ＣＬとこの対向電圧信号線ＣＬに比較的距離を大きくして離間された走査信号線ＧＬと、互いに隣接する各映像信号線ＤＬとで囲まれた領域において、画素領域を構成している。
【００２６】この場合、前記共通バスラインＣＣ３に対して図中左側に隣接する映像信号線ＤＬと該共通バスラインＣＣ３そして対向電圧信号線ＣＬとこの対向電圧信号線ＣＬに比較的距離を大きくして離間された走査信号線ＧＬとで囲まれた領域が画素領域となり、前記共通バスラインＣＣ３に対して図中右側に隣接する映像信号線ＤＬと該共通バスラインＣＣ３そして対向電圧信号線ＣＬとこの対向電極信号ＣＬに比較的距離を大きくして離間された走査信号線ＧＬとで囲まれた領域が画素領域となるようになっている。
【００２７】そして、このような各画素領域の集合体で表示領域ＶＷを形成するようになっている。なお、図では、周辺に沿って形成される一画素分の領域は表示領域ＶＷとして用いないようになっている。それらの内側における各画素領域で適切な表示を行なわしめるように図っているからである。
【００２８】各画素領域には、薄膜トランジスタＴＦＴ、画素電極ＰＸ、および対向電極ＣＴが備えられ、走査信号線ＧＬへの走査信号の供給によってオンされる該薄膜トランジスタＴＦＴを介して映像信号線ＤＬ（隣接する映像信号線のうち一方の映像信号線）からの映像信号が画素電極ＰＸに供給されるようになっている。
【００２９】また、この画素電極ＰＸと離間されて形成されている対向電極ＣＴは前記対向電圧信号線ＣＬと接続されている。すなわち、この対向電極ＣＴは上述した共通バスラインＣＣ３および対向電圧信号線ＣＬを介して基準信号が供給されるようになっている。
【００３０】前記共通バスラインＣＣ３およびその周辺の画素領域の具体的な構成は後に詳述する。
【００３１】表示領域ＶＷから延在される走査信号線ＧＬは透明基板ＳＵＢ１の一端側（図中左側）の周辺において外部端子ＧＰが設けられ、この外部端子ＧＰに走査信号駆動回路（図示せず）からの走査信号が供給されるようになっている。
【００３２】また、表示領域ＶＷから延在される映像信号線ＤＬは透明基板ＳＵＢ１の一端側（図中上側）の周辺において外部端子ＤＰが設けられ、この外部端子ＤＰに映像信号駆動回路（図示せず）からの映像信号が供給されるようになっている。
【００３３】そして、共通バスラインＣＣ３は映像信号線ＤＬと同様に透明基板ＳＵＢ１の一端側（図中上側）の周辺において外部端子ＣＰが設けられ、この外部端子ＣＰに基準信号が供給されるようになっている。」、
「【００７０】
実施例３．
【００７１】図１と異なる構成は、対向電圧信号線ＣＬにおいて、その表示領域ＶＷ内にｙ方向に延在する共通バスラインＣＣ３が存在するのにも拘らず、表示領域ＶＷ外において該対向電圧信号線ＣＬの端部をそれぞれ互いに接続させた他の共通バスラインＣＣ１、ＣＣ２を設けていることにある。
【００７２】このようにした場合、複数の共通バスラインＣＣ１、ＣＣ２、ＣＣ３からのそれぞれの基準信号は、比較的経路の短い共通電圧信号線ＣＬを介して全ての共通電極ＣＴに供給されることから、その波形歪みの抑制を大幅に行うことができるようになる。
【００７３】このことは、特に他の共通バスラインＣＣ１、ＣＣ２の高抵抗化を図っても大きな不都合が生じないことが明らかとなる。このため他の共通バスラインＣＣ１、ＣＣ２の線幅を細くできるようになり、これによって従来よりも額縁を小さくすることができるようになる。
【００７４】なお、この場合、共通バスラインＣＣ３の構成を図２あるいは図４のように構成しても上述の効果が得られることはいうまでもない。
【００７５】そして、このように構成する場合、各画素領域において、その対向電極ＣＴへの基準信号の供給に大きく影響される共通バスラインはＣＣ１、ＣＣ２、ＣＣ３のいずれであるかはおおよそ決定できるようになる。この場合、その信号伝達経路の抵抗および容量が異なってくることから、前記共通バスラインＣＣ３をどの位置に設けること（共通バスラインＣＣ１側に近づけるか、あるいは共通バスラインＣＣ２側に近づけるか）により、それらを均一化できるという効果を奏するようになる。
【００７６】この実施例では、対向電圧信号線ＣＬの各端部において他の共通バスラインＣＣ１、ＣＣ２を設けているが、必ずしもこれに限定されず、一端部側のみであってもよい。すなわち、共通バスラインＣＣ１あるいはＣＣ２のいずれか一方がなくてもよい。」、
及び、
「【００８１】
実施例４．
【００８２】〔全体構成〕図８は、図１に対応する等価回路図である。同図において、図１と異なる構成は、まず、表示領域ＶＷ内においてそのｙ方向に延在して設けられる共通バスラインＣＣは、ｙ方向に配列される画素領域ごとに形成されていることにある。すなわち、各画素領域ごとに共通バスラインＣＣは対向電圧信号線ＣＬとともに該画素領域に隣接して配置される構成となっている（図中、対向電圧信号線ＣＬは画素領域の上側、共通バスラインＣＣは画素領域の右側）。
【００８３】しかも、ｙ方向に配列される各画素領域のそれぞれの画素電極に供給される映像信号は一方の側（たとえば図中左側）の映像信号線ＤＬからとり入れるようになっている。
【００８４】このため、前記各共通バスラインＣＣは、映像信号線ＤＬと隣接して配置されるように構成されている。
【００８５】そして、これら各共通バスラインＣＣは、図中上側の端部および右側の端部にて共通接続され、映像信号線ＤＬの端子ＤＰ内に配列された幾つかの端子ＣＰから基準信号が供給されるようになっている。
【００８６】なお、この実施例では、共通バスラインＣＣは、ｙ方向に配列される画素領域ごとに形成されたものであるが、必ずしもこれに限定されることはなく、たとえば、一定数の間隔（ｘ方向の画素領域の間隔）毎にｙ方向に配列される画素領域に形成するようにしてもよい。」が、図面と共に記載されている。
　
（イ）上記（ア）の記載事項及び図６の記載から、液晶表示装置が、次の（ａ）乃至（ｇ）を備えている事項が見てとれる。
　
（ａ）表示領域ＶＷ左右両辺の外側において、表示領域ＶＷの上辺、その領域ＶＷ内、及びその領域ＶＷの下辺の外側、それぞれに設けられている該対向電圧信号線ＣＬの端部をそれぞれ互いに接続させた線幅が小さい共通バスラインＣＣ１及びＣＣ２と、
（ｂ）表示領域ＶＷ内にｙ方向に延在する共通バスラインＣＣ３と、
（ｃ）透明基板ＳＵＢ１の上側の周辺に設けられ、表示領域ＶＷから延在された映像信号線ＤＬの端部が接続され、映像信号駆動回路からの映像信号が供給される外部端子ＤＰと、
（ｄ）透明基板ＳＵＢ１の左側の周辺に設けられ、表示領域ＶＷから延在される走査信号線ＧＬの端部が接続され、走査信号駆動回路からの走査信号が供給される外部端子ＧＰと、
（ｅ）透明基板ＳＵＢ１の上側の周辺に設けられ、表示領域ＶＷの上辺に設けられている対向電圧信号線ＣＬとの接続点から延在する共通バスラインＣＣ３の端部が接続され、映像信号線ＤＬの端子ＤＰ内に配列され、基準信号が供給される端子ＣＰと、
（ｆ）対向電圧信号線ＣＬとの最終接続点から延在し、透明基板ＳＵＢ１の表示領域ＶＷの左上角部周辺に設けられた基準信号が供給される端子ＣＰにその端部が接続される共通バスラインＣＣ１の延在部と、
（ｇ）透明基板ＳＵＢ１の上側の周辺に設けられた端子ＣＰに端部が接続され、表示領域ＶＷの上辺に設けられている対向電圧信号線ＣＬとの接続点から延在する共通バスラインＣＣ３の延在部
　
（ウ）上記（ア）及び（イ）の記載事項から、引用例１には、次の発明（以下「引用例１発明」という。）が、次の課題、作用効果とともに開示されていると認めることができる。
　
（引用例１発明）
　液晶を介して互いに対向配置される各透明基板のうち一方の透明基板ＳＵＢ１の液晶側の面の表示領域ＶＷにマトリックス状に配置された各画素領域と、前記透明基板ＳＵＢ１にそのｘ（行）方向に延在されｙ（列）方向に並設されている走査信号線ＧＬと、該透明基板ＳＵＢ１にｙ方向に延在されｘ方向に並設された映像信号線ＤＬと、該透明基板ＳＵＢ１の各画素領域内に配置された対向電極ＣＴと、該対向電極ＣＴに基準信号を供給するためにｘ方向に延在されｙ方向に並設されている対向電圧信号線ＣＬと、表示領域ＶＷ左右両辺の外側において、表示領域ＶＷの上辺、その領域ＶＷ内、及びその領域ＶＷの下辺の外側、それぞれに設けられている該対向電圧信号線ＣＬの端部をそれぞれ互いに接続させた線幅が小さい共通バスラインＣＣ１及びＣＣ２と、表示領域ＶＷ内にｙ方向に延在する共通バスラインＣＣ３と、透明基板ＳＵＢ１の上側の周辺に設けられ、表示領域ＶＷから延在された映像信号線ＤＬの端部が接続され、映像信号駆動回路からの映像信号が供給される外部端子ＤＰと、透明基板ＳＵＢ１の左側の周辺に設けられ、表示領域ＶＷから延在される走査信号線ＧＬの端部が接続され、走査信号駆動回路からの走査信号が供給される外部端子ＧＰと、透明基板ＳＵＢ１の上側の周辺に設けられ、表示領域ＶＷの上辺に設けられている対向電圧信号線ＣＬとの接続点から延在する前記共通バスラインＣＣ３の端部が接続され、映像信号線ＤＬの端子ＤＰ内に配列され、基準信号が供給される端子ＣＰと、対向電圧信号線ＣＬとの最終接続点から延在し、透明基板ＳＵＢ１の表示領域ＶＷの左上角部周辺に設けられた基準信号が供給される端子ＣＰにその端部が接続される前記共通バスラインＣＣ１の延在部と、透明基板ＳＵＢ１の上側の周辺に設けられた前記端子ＣＰに端部が接続され、表示領域ＶＷの上辺に設けられている対向電圧信号線ＣＬとの接続点から延在する前記共通バスラインＣＣ３の延在部とを備えている横電界方式の液晶表示装置。
　
（課題）
　横電界方式の液晶表示装置は、各画素領域の行方向に配置された各画素領域内の各対向電極を互いに接続させた対向電圧信号線が列方向へ並設されて形成され、さらに、表示領域外の各対向電圧信号線の一端側において、これら対向電圧信号線をそれぞれ接続させる線幅が比較的大きな共通バスラインが形成されていて、各画素領域のそれぞれの対向電極には共通バスラインおよび各対向電圧信号線を介して同じ基準信号を供給する構成となっている。この場合、対向電極に接続される共通バスラインおよび各対向電圧信号線は、他の電極に接続される信号線よりも長く形成しなければならず、その抵抗が高くなるから、他の電極への信号の供給に比較して、極めて信号波形の歪みが著しい。このため、表示領域外の各対向電圧信号線の他の一端側においても、これら対向電圧信号線をそれぞれ接続させる線幅が比較的大きな共通バスラインを形成し、他の共通バスラインとともに基準電圧を供給する従来技術が公知であるが、この従来技術においては、対向電圧信号線のそれぞれの各端側において、それぞれ共通バスラインを形成するから、その分だけスペースを確保しなければならなくなり、いわゆる額縁の縮小化が図れない。
　
（作用効果）
　表示領域内に対向電圧信号線のそれぞれを接続させる共通バスラインを列方向へ延在させて形成し、表示領域外に対向電圧信号線の両端を共通接続させる線幅が小さい共通バスラインを設けることにより、基準信号が対向電極に供給される際に介在される信号線は、実質的に短くなりその抵抗を低減でき、かつ額縁を縮小化できる。
　
イ．引用例２
　
（ア）　同じく、原査定の拒絶の理由に引用された特開平１１−１４９０８７号公報（以下、「引用例２」という。）には、
「【０００１】
【発明の属する技術分野】本発明は、ディスプレイとして広く用いられている液晶表示装置に関するものである。
【０００２】
【従来の技術】液晶表示装置は、それぞれに透明電極が形成された上下一対の電極基板を、基板の画像表示部外縁に形成されたシール材により貼り合わせ、その内部に液晶を封入するよう構成されている。図７は、従来の液晶表示装置を構成するＴＦＴアレイ基板の画像表示部周辺部の角部を示す平面図である。図において、１は液晶表示装置のパネル外形、２は画像表示部外形、３はゲート／ソース信号線、４は画像表示部−実装端子接続パターン、５は実装端子、６はシールパターン、７はダミー配線をそれぞれ示す。図７(a) に示すように、従来の液晶表示装置の画像表示部外縁に形成されたシールパターン６の角部には、画像表示部−実装端子接続パターン４等の配線が形成されていなかった。また、図８〜図１０は、従来の液晶表示装置の実装パッド部を示す平面図である。図において、８はコモン電極、９はトランスファ電極、１２はリペア配線を示す。図８に示すように、従来の液晶表示装置では、実装パッド部の配線ブロック間にはコモン電極（図示せず）がシールパターン６の外側にあり、シールパターン６形成領域には電極パターンが形成されていなかった。
【０００３】また、図９では、画像表示部−実装端子接続パターン４の配線ブロック間において、シールパターン６の外側にトランスファ電極９が設けられており、図１０では、実装パッド部の配線ブロック間にはリペア配線１２が形成されていなかった。いずれの場合にも、配線ブロック間のシールパターン６形成領域には電極パターンが形成されていなかった。さらに、図１１は、従来の液晶表示装置の反実装パッド部を示す図であるが、ゲート反端子部１３にはリペア配線１２とクロスさせるための配線ブロックがあり、この配線ブロック間にも電極パターンが形成されていなかった。上記のいずれの場合においても、シールパターン６の形成領域で、配線が形成された部分と形成されていない部分では約０. ３μｍ以上の段差が生じていた。また、図１２は従来の液晶表示装置の液晶注入口部付近を基板の成膜面の裏面側から見た場合を示しており、１４は共通Ｃｓ電極である。図１２に示すように、従来の液晶注入口部付近では、シールパターン６全体が不透明材料よりなる共通Ｃｓ電極１４上に形成されており、ＴＦＴアレイ基板と対向電極基板を重ね合わせた後には、シールパターン６の確認ができなかった。
【０００４】
【発明が解決しようとする課題】以上のように、従来の液晶表示装置では、シールパターン６を形成する領域に、配線が形成されている場合と形成されていない場合で約０. ３μｍ以上の段差を生じていた。シールパターン６は画像表示部外形２に近いため、上記の段差が画像表示部の外縁においてセルギャップ差を与え、ギャップムラ等の不良となり、表示品質が劣化するという問題があった。このような問題を解決するために、例えば特開平０３−２１１５２４号公報では、図７(b) に示すようにシールパターン６形成領域で配線のない部分にダミー配線７を設けることにより、シールパターン６部の段差を無くし、セルギャップの均一化を図る方法が提案されている。しかし、ダミー配線７は基板上で導通していないため、電気的に意味を持たない配線であり、基板周辺部の利用効率を下げ、さらには工程の追加、パターンの複雑化、歩留まりの低下等の問題となっていた。また、Ｃｒ等の不透明部材に対し、その上にシールパターン６を形成した場合、対向電極基板のシールパターン６上が遮光されている場合には、ＴＦＴアレイ基板と対向電極基板を重ね合わせた後にシールパターン６が確認できない。この場合、シールパターン６に起因する不良が発生しても発見が難しいという問題があった。
【０００５】本発明は、上記のような問題点を解消するためになされたもので、画像表示部外縁部のギャップ差を低減し、表示品質の高い液晶表示装置を得るとともに、ＴＦＴアレイ基板と対向電極基板を重ね合わせた後にもシールパターンの確認が可能な液晶表示装置を提供することを目的とする。」、
「【０００８】
【発明の実施の形態】実施の形態１．以下に、本発明の実施の形態を図について説明する。図１は、本発明の実施の形態１である液晶表示装置を構成するＴＦＴアレイ基板の画像表示部周辺部の角部を、基板の成膜面の裏面側から見た場合を示している。図において、１はＴＦＴアレイ基板のパネル外形、２は画像表示部外形、３はゲート／ソース信号線、４は画像表示部−実装端子接続パターン、５は実装端子、６はシールパターン、８はコモン電極、９はトランスファ電極、１０はシール確認用窓、１１はシール確認用切れ込みをそれぞれ示す。本実施の形態における液晶表示装置は、それぞれに透明電極を形成された面が対向するように表示駆動基板であるＴＦＴアレイ基板と対向電極基板を所定の間隔を隔てて重ね合わせ、ＴＦＴアレイ基板の画像表示部外縁に形成されたシールパターン６により貼り合わせてなる空間に液晶を封入して作製される。また、ＴＦＴアレイ基板は、透明絶縁性基板上にゲート／ソース信号線３をそれぞれ複数本交差させ、その各交点に設けられた薄膜トランジスタ（図示せず）に接続された透明電極によって画像表示部を構成する画素部と、画素部に外部信号を入力する実装端子５部とを有し、画素部周辺にコモン電極８およびトランスファ電極９が配設されているものである。
【０００９】本実施の形態では、ＴＦＴアレイ基板の画像表示部外縁の角部のシールパターン６形成領域において、従来配線が形成されていなかった部分に、コモン電極８の配線パターンを延長して這わせたことを特徴とする。その際、コモン電極８の配線パターンの高さは、シールパターン６形成領域において、ＴＦＴアレイ基板に配設された他の配線とほぼ同じ高さとする。コモン電極８は、従来のダミー配線７とは異なり、基板上で導通している有効配線であり、新たな工程の追加やパターンの複雑化の必要もなく、歩留まりの低下等の問題も生じない。さらに、シールパターン６形成領域において配線の形成されていない部分を有効活用し、コモン電極８の領域が広がることにより、低抵抗化が可能となる。なお、コモン電極８は不透明材料よりなる」、及び、
「【００１１】実施の形態２．図２は、本発明の実施の形態２である液晶表示装置を構成するＴＦＴアレイ基板の実装パッド部を、基板の成膜面の裏面側から見た場合を示す平面図である。なお、図中、同一、相当部分には同一符号を付し、説明を省略する。本実施の形態では、ＴＦＴアレイ基板の実装パッド部のシールパターン６形成領域において、従来配線が形成されていなかった画像表示部−実装端子接続パターン４の配線ブロック間に、コモン電極８を延長して這わせたことを特徴とする。コモン電極８は基板上で導通している有効配線であり、新たな工程の追加やパターンの複雑化の必要もなく、歩留まりの低下等の問題も生じない。さらに、上記実施の形態１と同様に、コモン電極８の低抵抗化も可能となる。」が、図面と共に記載されていることが認められる。
　
（イ）上記（ア）の記載事項及び引用例２の図２（ａ）、図８の記載から、「ゲート／ソース信号線３が、画像表示部−実装端子接続パターン４として画像表示部外形２外に引き出され、パネル１の端部において複数個のブロックに分割及び集約されて実装パッド部の配線ブロックを構成し、Ｃｒ等の不透明材料よりなるコモン電極８をシールパターンが形成される箇所に延長し、該実装パッド部の配線ブロック間をほぼ埋めるように這わせて、コモン電極の領域を広げることによりコモン電極を低抵抗化する」という技術事項が把握できる。
　
（ウ）上記（ア）の記載事項及び引用例２の図１（ａ）の記載から、「Ｃｒ等の不透明材料よりなるコモン電極８を、画像表示部周辺部の角部を挟む２辺の周辺にそれぞれ形成された画像表示部−実装端子接続パターン４の各配線ブロック間の、画像表示部−実装端子接続パターン４の配線ブロックが形成されていない基板角部を、ほぼ埋めるように這わせて、コモン電極の領域を広げコモン電極を低抵抗化する」という技術事項が把握できる。
　
　（３）対比
　
　そこで、本願補正発明と引用例１発明とを比較する。
　
ア．引用例１発明の、液晶を介して互いに対向配置された透明基板の各画素領域に対応する部分が、本願補正発明の「走査線と信号線との各交点にそれぞれ配列された液晶セル」に相当することが明らかである。
　
イ．本願補正発明の第２の引出部は、前記ブロックの外側部と前記表示領域の四辺を前記ガラス基板の端部側に延長した直線とで囲まれた領域に形成されることから、基板の表示領域の角部周辺に形成されるものであると解されるところ、引用例１発明の「対向電圧信号線ＣＬとの最終接続点から延在し、透明基板ＳＵＢ１の表示領域ＶＷの左上角部周辺に設けられた基準信号が供給される端子ＣＰにその端部が接続される共通バスラインＣＣ１の延在部」とは、基板の表示領域の角部周辺に形成されるものである点で共通している。
　
ウ．引用例１発明の「一方の透明基板ＳＵＢ１」、「横電界方式の液晶表示装置」、「表示領域」、「ｘ（行）方向に延在されｙ（列）方向に並設されている走査信号線ＧＬ」、「ｙ方向に延在されｘ方向に並設された映像信号線ＤＬ」、「該透明基板ＳＵＢ１の各画素領域内に配置された対向電極ＣＴ」、「映像信号駆動回路からの映像信号が供給される外部端子ＤＰ」、「走査信号駆動回路からの走査信号が供給される外部端子ＧＰ」、「表示領域ＶＷの上辺及びその領域ＶＷ内に設けられている対向電圧信号線ＣＬ」、「表示領域ＶＷの上辺及びその領域ＶＷ内に設けられている対向電圧信号線ＣＬの端部をそれぞれ互いに接続させた線幅が小さい共通バスラインＣＣ１及びＣＣ２」、「透明基板ＳＵＢ１の上側の周辺に設けられ、表示領域ＶＷの上辺に設けられている対向電圧信号線ＣＬとの接続点から延在する前記共通バスラインＣＣ３の端部が接続され、映像信号線ＤＬの端子ＤＰ内に配列され、基準信号が供給される端子ＣＰ」、「対向電圧信号線ＣＬとの最終接続点から延在し、透明基板ＳＵＢ１の表示領域ＶＷ周辺の左上角部に設けられた基準信号が供給される端子ＣＰにその端部が接続される前記共通バスラインＣＣ１の延在部」及び「透明基板ＳＵＢ１の上側の周辺に設けられた前記端子ＣＰに端部が接続され、表示領域ＶＷの上辺に設けられている対向電圧信号線ＣＬとの接続点から延在する前記共通バスラインＣＣ３の延在部」は、それぞれ、本願補正発明の「略四角形状の基板」、「液晶セル内に、基板面に対して平行な方向の電界が形成される横電界方式の液晶ディスプレイ」、「基板上の所定の領域に設けられた略四角形状の表示領域」、「所定間隔で設けられて行方向に伸びる複数本の走査線」、「所定間隔で設けられて列方向に伸びる複数本の信号線」、「前記基板上に設けられた共通電極」、「前記基板の上端部に所定のピッチで設けられ、前記表示領域の上辺上部に引き出された信号線の端部がそれぞれ接続された信号端子」、「前記基板の左端部に所定のピッチで設けられ、前記表示領域の左辺左部に引き出された走査線の端部がそれぞれ接続された走査端子」、「前記共通電極に共通電位を印加するために前記表示領域に行ごとに、同じく前記基板上に設けられた共通信号線」、「前記表示領域の左辺左部又は右辺右部の両方に設けられ、前記複数本の共通信号線の各端部が接続された共通配線」、「信号端子に隣接して設けられ、前記基板の端部に形成された共通端子」、「前記表示領域に面する一部が前記共通配線に接続された第２の引出部」及び「前記表示領域に面する一部が前記共通配線に接続された第１の引出部」に相当する。
　
エ．したがって、両発明は、「液晶セル内に、基板面に対して平行な方向の電界が形成される横電界方式の液晶ディスプレイであって、
　略四角形状の基板上の所定の領域に設けられた略四角形状の表示領域に所定間隔で設けられて行方向に伸びる複数本の走査線と所定間隔で設けられて列方向に伸びる複数本の信号線との各交点にそれぞれ配列されて、同じく前記基板上に設けられた共通電極を含む前記液晶セルと、
　前記基板の上端部に所定のピッチで設けられ、前記表示領域の上辺上部に引き出された信号線の端部がそれぞれ接続された信号端子と、
　前記基板の左端部に所定のピッチで設けられ、前記表示領域の左辺左部に引き出された走査線の端部がそれぞれ接続された走査端子と、
　前記共通電極に共通電位を印加するために前記表示領域に行ごとに、同じく前記基板上に設けられた共通信号線と、
　前記表示領域の左辺左部又は右辺右部の両方に設けられ、前記複数本の共通信号線の各端部が接続された共通配線と、
　前記表示領域の一辺に沿って形成され、前記表示領域に面する一部が前記共通配線に接続された第１の引出部と、
　前記基板の表示領域の角部周辺に形成され、前記共通配線に接続された第２の引出部と、
　信号線の端部に接続された信号端子に隣接して設けられ、前記第１の引出部の前記基板の端部に形成された共通端子と
　を備えてなる液晶ディスプレイ。」の点で一致し、以下の点で相違している。
　
［相違点］
　
（ア）前記基板が、本願補正発明においては「ガラス基板」であるのに対し、引用例１発明においては「透明基板」であって、その材質が記載されていない点。
（イ）前記表示領域の左辺左部又は右辺右部の両方に設けられている前記共通配線が、本願補正発明においては「前記表示領域の上辺上部又は下辺下部のいずれか一方又は両方」にも設けられるのに対して、引用例１発明においては、表示領域ＶＷの上辺に設けられている対向電圧信号線ＣＬが表示領域上辺部分における共通配線の一部となり共通バスラインＣＣ１及びＣＣ２とともに共通配線に相当するが、表示領域ＶＷの上辺に設けられている対向電圧信号線ＣＬが設けられている位置は、表示領域の上辺であり表示領域の上辺上部ではない点。
（ウ）前記第１及び第２の引出部が、本願補正発明においては、バックライトから放射される光の透過率が極めて低い金属膜によりなるのに対して、引用例１発明においては、材料が記載されていない点。
（エ）本願補正発明においては、基板の端部に設けられ表示領域外に引き出された前記信号線及び前記走査線が、複数個のブロックに分割及び集約され、前記第１の引出部が、ブロック間の間隙をほぼ埋めるように、一辺あたり複数形成されているのに対して、引用例１発明においては、基板の端部に設けられ表示領域外に引き出された前記信号線及び前記走査線を複数のブロックに分割する旨の明確な記載はなく、前記第１の引出部については１つしか明記されておらず、ブロック間の間隙をほぼ埋めるようにもなっていない点。
（オ）基板の表示領域の角部周辺に形成された前記第２の引出部が、本願補正発明においては、「ブロックの外側部と表示領域の四辺を基板の端部側に延長した直線とで囲まれた領域」をほぼ埋めるように形成されているのに対して、引用例１発明においては、「ブロックの外側部と表示領域の四辺を基板の端部側に延長した直線とで囲まれた領域」を埋めるようにはなっていない点。
（カ）本願補正発明においては、液晶ディスプレイが、ストライプ形のカラーフィルタを有しているのに対して、引用例１発明においては、カラーフィルターについて記載されていない点。
（キ）本願補正発明においては、液晶ディスプレイが、ドット反転駆動方式で駆動されるのに対して、引用例１発明においては、液晶ディスプレイの駆動方式について記載されていない点。
（ク）本願補正発明においては、液晶ディスプレイが、ノーマリー・ブラック型であるのに対して、引用例１発明においては、液晶ディスプレイが、ノーマリー・ブラック型かノーマリー・ホワイト型かについて記載されていない点。
　
　（４）判断
　
ア．上記相違点（ア）について検討する。
　
　ガラス基板は、液晶ディスプレイの透明基板として本願出願前に周知（引用例を示すまでもない。）であって、引用例１発明の透明基板をガラス基板となすことは単なる設計事項に過ぎない。
　
イ．上記相違点（イ）について検討する。
　
　引用例１の段落００８５（上記２．（２）ア．（ア）参照。）及び図８には表示領域の上辺上部に複数の共通バスラインを共通接続する配線を設ける事項が開示されているから、引用例１発明において、表示領域ＶＷの上辺に設けられている対向電圧信号線ＣＬに追加して、表示領域の上辺上部に複数の共通バスラインＣＣ１、ＣＣ２、ＣＣ３を共通接続する配線を設けることは、引用例１の上記開示事項を参酌した当業者にとっては設計事項に過ぎない。
　
ウ．上記相違点（ウ）について検討する。
　
　引用例１には対向電極、各信号線及び共通バスラインの材質が記載されていないが、横電界方式の液晶表示装置における配線及びその引出部を金属膜で形成することは本願出願前に周知である（例．特開平１１−２４０９５号公報の段落０００３、００１１、００１５、００１９及び図面、特開平９−１２００６１号公報の段落００４５，００４６、００７１、図５及び図８）。この場合配線及びその引出部を構成する金属膜は低抵抗とするためバックライトから放射される光の透過率が極めて低くなる程度の厚みは備えているものと認められる。よって、引用例１発明における共通配線の延長である第１及び第２引出部をバックライトから放射される光の透過率が極めて低い金属膜とすることは単なる周知技術の付加に過ぎない。
　
エ．上記相違点（エ）について検討する。
　
　引用例１発明の課題及び作用効果は上記２．（２）ア．（ウ）において述べたとおり、基準信号が対向電極に供給される際に介在される信号線の抵抗を低減するものである。
　引用例２には、「ゲート／ソース信号線３が、画像表示部−実装端子接続パターン４として画像表示部外形２外に引き出され、パネル１の端部において複数個のブロックに分割及び集約されて実装パッド部の配線ブロックを構成し、Ｃｒ等の不透明材料よりなるコモン電極をシールパターンが形成される箇所に延長し、該実装パッド部の配線ブロック間をほぼ埋めるように這わせて、コモン電極の領域を広げることによりコモン電極を低抵抗化する」という技術事項が記載されている（上記２．（２）イ．（イ）参照。）。
　引用例２に記載のコモン電極は、引用例１発明における対向電圧信号線及び共通バスラインと、各画素領域に共通の信号を供給するための共通配線である点で共通しているから、引用例２に記載のコモン電極を低抵抗化する技術は、各画素領域に共通の信号を供給するための共通配線の抵抗を低減する点で、引用例１発明の対向電圧信号線の抵抗を低減する技術と共通している。
　また、基板の端部に設けられ表示領域外に引き出された信号線や走査線を複数個のブロックに分割及び集約する事項を液晶表示装置に採用することは本願出願前に周知（例．原査定の拒絶の理由に引用された特開平３−６４７３５号公報の「ゲートバスライン７ａ，７ｂ，７ｃ及びゲート信号端子４ａ，４ｂ」（４頁左上欄８行〜同頁左下欄１３行及び第３図）、特開平６−３０１０４５号公報の「信号線１７及び信号線引き出し電極１８と、走査線１５及び走査線引き出し電極１６」（段落００１４及び図２）、及び、特開平８−２７８５１６号公報の「ＸＹ信号線群２ー４、２ー５、ＸＹ入力端子電極群２ー１、２ー２」（段落００１４及び図２））であるから、引用例２に記載の上記技術事項を引用例１発明に採用し、基板の端部に設けられ表示領域外に引き出された前記信号線及び前記走査線を複数個のブロックに分割及び集約し、前記第１の引出部がそのブロック間の間隙をほぼ埋めるように形成することは当業者にとって容易なことである。その際にブロックの数を何個にするかは設計事項であり、ブロックを３以上としてブロック間に配置する第１の引出部を複数とすることに困難な点はない。
　そして、引用例２に記載の技術事項は、シールパターンが形成される箇所である画像表示部−実装端子接続パターンの配線ブロック間に対して適用される技術であるから、引用例２に記載の上記技術事項を引用例１発明に採用しても新たなスペースを設ける必要はなく、額縁の増大を伴わないことは当業者にとって自明である。
　また、隣接するブロックの間隙からバックライトから放射された光が洩れ、表示領域の周縁部において輝度にむらが出てしまう現象は、バックライトから放射される光の透過率が極めて低い金属膜により、バックライトから放射された光が洩れる表示領域の周縁部の該当箇所をほぼ埋めるように形成することにより解決されることは本願出願前に知られていた事項であり（特開平１０−６２８１２号公報参照。）、本願明細書の段落００５１に記載の「輝度むら」も低減することができるという効果は、当業者が予測することができたものである。
　よって、引用例１発明の基板の端部に設けられ表示領域外に引き出された前記信号線及び前記走査線と第１の引出部に、引用例２に記載の上記技術事項を適用して、共通バスライン及び対向電圧信号線の抵抗をさらに低減させることは当業者が容易に想到することができたものである。
　
オ．上記相違点（オ）について検討する。
　
　引用例１発明の課題及び作用効果は上記２．（２）ア．（ウ）において述べたとおりである。
　引用例２には、「Ｃｒ等の不透明材料よりなるコモン電極を、画像表示部周辺部の角部を挟む２辺の周辺にそれぞれ形成された画像表示部−実装端子接続パターンの各配線ブロック間の、画像表示部−実装端子接続パターンの配線ブロックが形成されていない基板角部を、ほぼ埋めるように這わせて、コモン電極の領域を広げコモン電極を低抵抗化する」という技術事項が記載されている（上記２．（２）イ．（ウ）参照。）。
　引用例２に記載のコモン電極を低抵抗化する当該技術は、引用例１発明の対向電圧信号線の抵抗を低減する技術と共通していることは上記エ．において検討したとおりである。
　そして、引用例２に記載の当該技術事項は、基板角部のシールパターンが形成される箇所に対して適用される技術であるから、新たなスペースを設ける必要はなく、額縁の増大を伴わない技術事項であることは当業者にとって自明である。
　よって、引用例１発明の第２の引出部に引用例２に記載の当該技術事項を適用して、共通バスライン及び対向電圧信号線の抵抗をさらに低減させることは当業者が容易に想到することができたものである。
　その結果、「ブロックの外側部と表示領域の四辺を基板の端部側に延長した直線とで囲まれた領域」は第２の引出部によってほぼ埋まることは明らかである。
　
カ．上記相違点（カ）（キ）及び（ク）について検討する。
　
　ストライプ形のカラーフィルタを有している液晶ディスプレイ（上記相違点（カ））は本願出願前に周知である（例．特開平１０−６２８０２号公報の図３７参照。）。
　ドット反転駆動方式で駆動される液晶ディスプレイ（上記相違点（キ））は本願出願前に周知である（例．上記特開平１０−６２８０２号公報の段落００３８、図１６参照。）。
　ノーマリー・ブラック型の液晶ディスプレイ（上記相違点（ク））は本願出願前に周知である（例．上記特開平１０−６２８０２号公報の段落００４７参照。）。
　そして、これらの周知技術を横電界方式の液晶ディスプレイに採用することを阻害する要因はなく、本願出願前に新規なことでもない（例．上記特開平１０−６２８０２号公報に記載の液晶表示装置は、横電界方式の液晶ディスプレイであり（段落０００１〜０００９の記載参照。）、これら上記相違点（カ）、（キ）及び（ク）の各周知技術を採用したものである。）。
　よって、上記相違点（カ）、（キ）及び（ク）は、引用例１発明に各周知技術を付加したものに過ぎない。
  
キ．まとめ
  
　以上ア．乃至カ．の検討結果から、本願補正発明は、引用例１、引用例２及び周知技術から当業者が容易に想到することができたものである。
　また、本願補正発明の効果も、引用例１、引用例２及び周知技術から当業者が予測できる範囲のものである。
　したがって、本願補正発明は、引用例１に記載された発明、引用例２に記載の事項及び周知技術に基づいて、当業者が容易に発明をすることができたものであるから、特許法第２９条第２項の規定により特許出願の際独立して特許を受けることができないものである。
　
　（５）むすび
　
　以上のとおり、本件補正は、特許法第１７条の２第５項で準用する同法第１２６条５項の規定に違反するものであり、同法第１５９条第１項で読み替えて準用する同法第５３条第１項の規定により却下されるべきものである。
　
３．本願発明について
　
（１）本願発明
　
　平成１６年５月２４日付の手続補正は上記のとおり却下されたので、本願の請求項に係る発明は、平成１６年２月９日付手続補正書によって補正された明細書及び図面の記載からみて、その特許請求の範囲の請求項１〜７に記載された事項によって特定されるものであるところ、請求項１に係る発明（以下、「本願発明」という。）は次のとおりのものである。 
　「ストライプ形のカラーフィルタを有し、ドット反転駆動方式で駆動されるノーマリー・ブラック型の液晶ディスプレイであって、
　略四角形状のガラス基板上の所定の領域に設けられた略四角形状の表示領域に所定間隔で設けられて行方向に伸びる複数本の走査線と所定間隔で設けられて列方向に伸びる複数本の信号線との各交点にそれぞれ配列されて共通電極を含む液晶セルと、
　前記ガラス基板の上端部又は下端部のいずれか一方又は両方に所定のピッチで設けられ、前記表示領域の上辺上部又は下辺下部のいずれか一方又は両方に引き出されて複数個のブロックに分割及び集約された信号線の端部がそれぞれ接続された信号端子と、
　前記ガラス基板の左端部又は右端部のいずれか一方又は両方に所定のピッチで設けられ、前記表示領域の左辺左部又は右辺右部のいずれか一方又は両方に引き出されて複数個のブロックに分割及び集約された走査線の端部がそれぞれ接続された走査端子と、
　前記共通電極に共通電位を印加するために前記表示領域に行ごと又は列ごとに設けられた共通信号線と、
　前記表示領域の上辺上部又は下辺下部のいずれか一方又は両方に設けられるとともに、前記表示領域の左辺左部又は右辺右部のいずれか一方又は両方に設けられ、前記複数本の共通信号線の各端部が接続された共通配線と、
　バックライトから放射される光の透過率が極めて低い金属膜によりなり、前記表示領域の一辺に沿って隣接する前記ブロック間の間隙をほぼ埋めるように形成され、前記表示領域に面する一部が前記共通配線に接続された、一辺あたり複数の第１の引出部と、
　前記金属膜よりなり、前記ブロックの外側部と前記表示領域の四辺を前記ガラス基板の端部側に延長した直線とで囲まれた領域をほぼ埋めるように形成され、前記表示領域に面する一部が前記共通配線に接続された第２の引出部と、
　各ブロックの最外部を構成する信号線又は走査線の端部に接続された信号端子又は走査端子に隣接して設けられ、前記第１又は第２の引出部の前記ガラス基板の端部に形成された複数個の共通端子と
　を備えてなることを特徴とする液晶ディスプレイ。」
　
　（２）引用例
　
　原査定の拒絶の理由に引用された引用例、及びその記載事項は、前記「２．（２）」に記載したとおりである。　
　
　（３）対比・判断
　
　本願発明は、前記２．で検討した本願補正発明から液晶セルの内部に形成される電界の限定事項である「基板面に対して平行な方向の電界」との構成を省き、液晶ディスプレイが「横電界方式」であるとの限定を省き、かつ、「共通電極」及び「共通信号線」の限定事項である「同じく前記ガラス基板上に設けられた」の構成を省いたものである。
　そうすると、本願発明の構成要件をすべて含み、さらに他の構成要件を付加したものに相当する本願補正発明が、前記２．（４）に記載したとおり、引用例１、引用例２及び周知技術に基づいて、当業者が容易に発明をすることができたものであるから、本願発明も同様の理由により、引用例１、引用例２及び周知技術に基づいて、当業者が容易に発明をすることができたものである。　
　
　（４）むすび
　
　以上のとおり、本願発明は、引用例１に記載された発明、引用例２に記載の技術事項及び周知技術に基づいて、当業者が容易に発明をすることができたものであるから、特許法第２９条第２項の規定により特許を受けることができない。
　よって、結論のとおり審決する。